(57)【要約】【課題】子供が好んで冷却剤等を使用できるようにする。【解決手段】冷却剤等Ｂを着脱可能な収納部２を設け、且つ、カバー本体１の外形状を動物、乗り物等に形成する。【選択図】図１
2005137576.tif 000002
【特許請求の範囲】
【請求項１】
冷却剤等を着脱可能な収納部を設け、且つ、カバー本体の外形状を動物、乗り物等に形成したことを特徴とする冷却剤等用カバー。
【請求項２】
請求項１において、
上記カバー本体内には、クッション材が内装されており、当該クッション材に上記収納部を設けたことを特徴とする冷却材用カバー。
【請求項３】
請求項１又は２の何れかにおいて、
上記冷却剤等は、吸水性を備えた包装材に包装されていることを特徴とする冷却剤等用カバー。
【請求項４】
請求項１〜３において、
上記カバー本体には、上記冷却剤等の温度を表示する表示部を設けたことを特徴とする冷却剤等用カバー。
【請求項５】
請求項１〜４において、
上記カバー本体には、面ファスナー、紐等の取付部を設けたことを特徴とする冷却剤等用カバー。
【発明の詳細な説明】
【技術分野】
【０００１】
本発明は、発熱時などに使用される保冷剤や冷却剤を収納するための冷却剤等用カバーの改良に関する。
【背景技術】
【０００２】
冷却剤、保冷剤（以下、「冷却剤等」と省略する。）には、種々のものがあり、従来、これらの冷却剤等を収納可能なケース体を、枕等に貼り付け或いは収納して使用する冷却剤等用カバーはあった（例えば、特許文献１参照。）。
【特許文献１】特開２０００−７００７５号公報
【発明の開示】
【発明が解決しようとする課題】
【０００３】
しかし、従来の冷却剤等用カバーは、大人の使用に際しての問題は特にないものの、子供が使用するに際しては問題があった。
【０００４】
すなわち、一般に、子供は、上記冷却剤等の使用を嫌がることが多い。
【０００５】
一方、発熱を下げるためには、上記冷却剤等の使用は効果的であるため、親等は、嫌がる子供をなだめつつ、上記冷却剤等の使用を行わなければならず、子供に対しての冷却剤等の使用が困難であるという問題があった。
【０００６】
ところで、子供が冷却剤等の使用を嫌がる理由には、様々な要因が考えられるが、本出願人は、上記冷却剤等用カバーの外形状や感触に、上記要因があると考えている。
【０００７】
本発明は、かかる課題を解決することを目的とするもので、子供が好んで冷却剤等を使用することのできる冷却剤等用カバーを提供する。
【課題を解決するための手段】
【０００８】
上記目的を達成するため、
請求項１に係る冷却剤等用カバーは、冷却剤等を着脱可能な収納部を設け、且つ、カバー本体の外形状を動物、乗り物等に形成したことを特徴とする。
【０００９】
このものでは、カバー本体が、動物等の外形状に形成されているので、子供などが冷却剤等を嫌がらずに使用できる。
【００１０】
請求項２に係る冷却剤等用カバーは、請求項１において、上記カバー本体内には、クッション材が内装されており、当該クッション材に上記収納部を設けたことを特徴とする。
【００１１】
このものでは、クッション材に内装され、しかも、このクッション材に冷却剤等が収納されているので、ぬいぐるみのような柔かい感触を得ることができる。
【００１２】
請求項３に係る冷却剤等用カバーは、請求項１又は２の何れかにおいて、上記冷却剤等は、吸水性を備えた包装材に包装されていることを特徴とする。
【００１３】
このものでは、冷却剤等は、吸水性を備えた包装材に包装されているので、冷却剤等の冷気によって生じる結露が上記包装材に吸収され、クッション材やカバー本体に結露が生じることを防止できる。
【００１４】
請求項４に係る冷却剤等用カバーは、請求項１〜３において、上記カバー本体には、上記冷却剤等の温度を表示する表示部を設けたことを特徴とする。
【００１５】
このものでは、表示部によって、冷却剤等の取替え時期を目視できる。
【００１６】
請求項５に係る冷却剤等用カバーは、請求項１〜４において、上記カバー本体には、面ファスナー、紐等の取付部を設けたことを特徴とする。
【００１７】
このものでは、面ファスナー等の取付部を、例えば使用者に取付ければ、寝返りなどでよってカバー本体が容易に外れないように固定できる。
【発明の効果】
【００１８】
本発明によれば、次のような効果がある。
請求項１に係る冷却剤等用カバーによれば、カバー本体が、動物等の外形状に形成されているので、子供などが冷却剤等を嫌がらずに使用できる。
【００１９】
請求項２に係る冷却剤等用カバーによれば、クッション材に内装され、しかも、このクッション材に冷却剤等が収納されているので、ぬいぐるみのような柔かい感触を得ることができる。
【００２０】
請求項３に係る冷却剤等用カバーによれば、冷却剤等は、吸水性を備えた包装材に包装されているので、冷却剤等の冷気によって生じる結露が上記包装材に吸収され、クッション材やカバー本体に結露が生じることを防止できる。
【００２１】
請求項４に係る冷却剤等用カバーによれば、表示部によって、冷却剤等の取替え時期を目視できる。
【００２２】
請求項５に係る冷却剤等用カバーによれば、面ファスナー等の取付部を、例えば使用者に取付ければ、寝返りなどでよってカバー本体が容易に外れないように固定できる。
【発明を実施するための最良の形態】
【００２３】
以下、本発明に係る冷却剤等用カバーＡを図面とともに説明する。
【実施例１】
【００２４】
図１は、本発明に係る冷却剤等用カバーＡの一実施例を示す概略斜視図、図２は、図１を背面側から見た概略断面図である。
【００２５】
この冷却剤等用カバーＡは、外形状を動物や乗り物等に形成しているカバー本体１と、このカバー本体１内に、冷却剤等Ｂを着脱可能な収納部２を設けている。
【００２６】
カバー本体１は、一般に、ぬいぐるみ等に使用されている素材、例えば、厚手の布地、タオル地等を利用できるが、通気性が良く、且つ触感の良い素材を用いることが望ましい。
【００２７】
このようにカバー本体１の外形状を動物や乗り物等、つまり、子供の望むキャラクターに形成しているので、子供は、カバー本体１内に冷却剤等Ｂが収納されていても、これを嫌がらずに使用することができる。
【００２８】
本実施例では、カバー本体１内にクッション材３を内装しており、このクッション材３としては、綿、樹脂製の球体又は筒体、そばがら等、枕やクッションなどの緩衝材として内装されているものを使用することができる。
【００２９】
このようなクッション材３を内装することによって、ぬいぐるみのような柔かい感触を得ることができるので、子供は、ぬいぐるみを抱いているのと同様、カバー本体１内に冷却剤等Ｂが収納されていても、これを嫌がらずに使用することができる。
【００３０】
また、上記のようなクッション材３の場合には、冷却剤等Ｂを直接挿入すれば、その挿入時の押圧に応じてクッション材３が自在に変形されるため、収納部２を予め形成しておく必要はない。
【００３１】
但し、クッション材３の所望位置に、予め、着脱可能な収納部２を設けても勿論構わない。
【００３２】
ここで、冷却剤等Ｂは、市販されている冷却剤又は保冷剤を使用可能であるが、本実施例では、この冷却剤等Ｂが、更に吸水性を備えた包装材Ｂ１に着脱可能に包装されたものを例示している。
【００３３】
そのため、冷却剤等Ｂの冷気によって生じる結露が包装材Ｂ１に吸収され、クッション材３或いはカバー本体１に結露が生じることを防止できる。
【００３４】
包装材Ｂ１としては、表地にはポリエステル素材等を使い、冷却剤等Ｂと接する面（裏地）はスポーツウェアの裏地などに使用されているポリエステル素材のメッシュ生地とした、二重構造にするのが好ましい。このような二重構造とすることで、水分を十分に吸収することができる。また、包装材Ｂ１を取り外し可能にすれば、洗濯して何度でも使用することができる。
【００３５】
また、包装材Ｂ１として、高分子吸収ポリマーを用いてもよい。包装材Ｂ１が、例えば、結露を吸収して膨張しても、紙オムツの如く、新たなものに簡単に取替えできる。
【００３６】
更に、カバー本体１には、冷却剤等Ｂの温度を表示する表示部４を設けることも可能である。
【００３７】
本実施例では、図３に示すように、動物の目に相当する場所に、カバー本体１と冷却剤等Ｂとの間を連通する表示部４を設け、例えば、冷却剤等Ｂの温度変化に応じて、上記目の色が変化するようになっている。
【００３８】
このような表示部４を設ければ、カバー本体１の目の色を見るだけで、冷却剤等Ｂの取替え時期が容易に識別でき、また、目の色が変化するので、子供が喜ぶという効果もある。
【００３９】
なお、表示部４の色変化をさせるためには、紙オムツなどでも利用されている公知の熱変色性素材を用いればよい。また、結露の水分を検知して色変化させるようにしてもよい。
【００４０】
また、カバー本体１の背面には、冷却剤等Ｂをクッション材３に着脱するために、このクッション材を外被させる開閉用ファスナー５を設けている。
【００４１】
なお、開閉用ファスナー５は、面ファスナーを用いれば、ファスナーの金属部分が冷たくならずに、より望ましい。
【００４２】
図４〜図６は、カバー本体１に面ファスナー、紐等の取付部６を更に設けた実施例を示す概略図である。
【００４３】
図４は、開閉用ファスナー５の開閉用金具又はカバー本体１の適所（ここでは、首の背面側）に、リング状の取付部６を設けたものを示している。
【００４４】
このような取付部６を設ければ、持ち運びに便利である。
【００４５】
図５は、カバー本体１と一体又は別体に形成された長尺な紐を取付部６として設け、この取付部６を子供の首や、肩にかけて使用させるものを示している。
【００４６】
このような取付部６を設ければ、散歩などの外出途中でも冷却剤等Ｂによる冷却効果を得ることができる。
【００４７】
図６は、図４で示した取付部６に加え、更に、手、足には面ファスナーによる取付部６を設けたものを示している。
【００４８】
このような取付部６を設ければ、持ち運びに便利なうえ、例えば、手、足に設けた上記面ファスナーを子供の手又は足に巻き付けて取付けることができ、例えば、寝返りなどの激しい動きによってカバー本体１が容易に外れないように固定できる。
【００４９】
また、図６では、冷却剤等Ｂを収納する収納部２を、動物の腹部に相当する位置に形成したものを示している。
【００５０】
なお、本実施例の冷却剤等Ｂに代えてカイロ等の発熱剤を使用すれば、冷却剤等Ｂとは逆の温暖効果が得られることは勿論である。
【産業上の利用可能性】
【００５１】
本発明は、子供が喜んで使用する冷却剤等用カバーとして有効に利用することが可能である。
【図面の簡単な説明】
【００５２】
【図１】本発明に係る冷却剤等用カバーＡの一実施例を示す概略斜視図である。
【図２】図１を背面側から見た概略断面図である。
【図３】本発明に係る冷却剤等用カバーＡの一部を拡大した概略断面図である。
【図４】取付部（手提げ紐）を設けた実施例を示す概略図である。
【図５】取付部（抱っこ紐）を設けた実施例を示す概略図である。
【図６】取付部（手提げ紐及び面ファスナー）を設けた実施例を示す概略図である。
【符号の説明】
【００５３】
Ａ      冷却剤等用カバー
Ｂ      冷却剤等
Ｂ１    包装材
１      カバー本体
２      収納部
３      クッション材
４      表示部
５      開閉用ファスナー
６      取付部
【図１】
2005137576.tif 000003
【図２】
2005137576.tif 000004
【図３】
2005137576.tif 000005
【図４】
2005137576.tif 000006
【図５】
2005137576.tif 000007
【図６】
2005137576.tif 000008